(57)【要約】【課題】頭髪を巻き付けた電熱ロッドを適切に温度制御でき、電熱ロッドの外周部と内部に温度差が生じることによる発熱部材の異常過熱が起こることのないパーマ装置を提供する。【解決手段】電熱ロッド１が、筒状部材１１の内周面１２若しくは内周面１２より外側の温度を感知できる外側用センサー５と、筒状部材１１の内周面１２より内側１４の温度を感知できる内側用センサー８とを備える。これにより、電熱ロッド１の適切な温度制御ができ、また、発熱部材２の焼損に至る異常過熱を防止でき、安全に使用することができるパーマ装置を提供できたものである。【選択図】          図３
2005279243.tif 000002
【特許請求の範囲】
【請求項１】
電熱ロッド（１）に被施術者の頭髪を巻き付けて加熱することにより、頭髪にウェーブの形成などの変形処理を行うことのできるパーマ装置において、
電熱ロッド（１）が、内部に水分の浸入を防止できる程度に密閉された中空の筒状部材（１１）と、
筒状部材（１１）によって外部からの防水性を維持されると共に、外部から供給された電流によって発熱する発熱部材（２）と、
筒状部材（１１）の内周面（１２）若しくは内周面（１２）より外側の温度を感知できる外側用センサー（５）と、
筒状部材（１１）の内周面（１２）より内側（１４）の温度を感知できる内側用センサー（８）と、
発熱部材（２）、外側用センサー（５）、内側用センサー（８）の各々に対して接続された接続プラグ（３）とを備えたものであることを特徴とするパーマ装置。
【請求項２】
電熱ロッド（１）に被施術者の頭髪を巻き付けて加熱することにより、頭髪にウェーブの形成などの変形処理を行うことのできるパーマ装置において、
電熱ロッド（１）が、内部に水分の浸入を防止できる程度に密閉された中空の筒状部材（１１）を有する、加熱専用ロッド（１ａ）とセンサーロッド（１ｂ）とからなるものであって、
加熱専用ロッド（１ａ）の内部には、ロッド外部から供給された電流によって、筒状部材（１１）を発熱させることのできる発熱部材（２）と、筒状部材（１１）の内周面（１２）より内側（１４）の温度を感知できる内側用センサー（８）とを備え、
センサーロッド（１ｂ）の内部には、筒状部材（１１）の内周面（１２）若しくは内周面（１２）より外側の温度を感知できる外側用センサー（５）と、上記加熱専用ロッド（１ａ）と同様の発熱部材（２）と内側用センサー（８）とを備えたものであり、
このパーマ装置は、電源入力部（６１）、電圧降下部（６２）、制御部（６３）、スイッチング素子（６４）を備えたものであり、
電源入力部（６１）は、電熱ロッド（１）の発熱部材（２）に電流を供給するためのものであり、
電圧降下部（６２）は、電源入力部（６１）から供給された電流を電熱ロッド（１）の発熱部材（２）へと供給可能なように、適切な電圧まで降圧させるためのものであり、
制御部（６３）は、センサーロッド（１ｂ）の外側用センサー（５）が発する温度信号を受け、スイッチング素子（６４）に対し、オンオフの指令を出すものであり、
スイッチング素子（６４）は、電熱ロッド（１）の発熱部材（２）への電流をオンオフするものであり、
１つのセンサーロッド（１ｂ）に対して、複数の加熱専用ロッド（１ａ）が組み合わされた被制御ロッド群（Ｘ）ごとに、上記の制御部（６３）による、各電熱ロッド（１）の発熱部材（２）のオンオフ制御がなされるものであって、
上記の内側用センサー（８）が感知した温度が、あらかじめ設定された値を超えた場合に、発熱部材（２）への通電が制限されるものであることを特徴とするパーマ装置。
【請求項３】
上記の内側用センサー（８）が、電熱ロッド（１）の内部における発熱部材（２）へ通電するための回路（４ａ）の途中に設けられたものであって、
内側用センサー（８）が感知した温度が、あらかじめ設定された値を超えた場合に、上記の回路（４ａ）が遮断されるものである、バイメタル式のサーモスタットが用いられたことを特徴とする、請求項１または２に記載のパーマ装置。
【請求項４】
電熱ロッド（１）に被施術者の頭髪を巻き付けて加熱することにより、頭髪にウェーブの形成などの変形処理を行うことのできるパーマ装置において、
電熱ロッド（１）が、内部に水分の浸入を防止できる程度に密閉された中空の筒状部材（１１）を有する、加熱専用ロッド（１ａ）とセンサーロッド（１ｂ）とからなるものであって、
加熱専用ロッド（１ａ）の内部には、ロッド外部から供給された電流によって、筒状部材（１１）を発熱させることのできる発熱部材（２）を備え、
センサーロッド（１ｂ）の内部には、筒状部材（１１）の内周面（１２）若しくは内周面（１２）より外側の温度を感知できる外側用センサー（５）と、筒状部材（１１）の内周面（１２）より内側（１４）の温度を感知できる内側用センサー（８）と、上記加熱専用ロッド（１ａ）と同様の発熱部材（２）とを備えたものであり、
このパーマ装置は、電源入力部（６１）、電圧降下部（６２）、制御部（６３）、スイッチング素子（６４）を備えたものであり、
電源入力部（６１）は、電熱ロッド（１）の発熱部材（２）に電流を供給するためのものであり、
電圧降下部（６２）は、電源入力部（６１）から供給された電流を電熱ロッド（１）の発熱部材（２）へと供給可能なように、適切な電圧まで降圧させるためのものであり、
制御部（６３）は、センサーロッド（１ｂ）の外側用センサー（５）が発する温度信号を受け、スイッチング素子（６４）に対し、オンオフの指令を出すものであり、
スイッチング素子（６４）は、電熱ロッド（１）の発熱部材（２）への電流をオンオフするものであり、
１つのセンサーロッド（１ｂ）に対して、複数の加熱専用ロッド（１ａ）が組み合わされた被制御ロッド群（Ｘ）ごとに、上記の制御部（６３）による、各電熱ロッド（１）の発熱部材（２）のオンオフ制御がなされるものであって、
上記の制御部（６３）が、外側用センサー（５）と内側用センサー（８）とが感知した温度差があらかじめ設定された値を超えた異常値となった場合に、当該異常値となったセンサーロッド（１ｂ）の存在する異常被制御ロッド群（Ｘｔ）における、各電熱ロッド（１）の発熱部材（２）への通電を制限するための異常過熱防止手段（６３ｂ）を備えたことを特徴とするパーマ装置。
【請求項５】
上記の異常過熱防止手段（６３ｂ）が、各センサーロッド（１ｂ）の外側用センサー（５）が感知した温度と内側用センサー（８）が感知した温度との差を感知する温度差感知手段（６３ｂ１）と、
上記の温度差感知手段（６３ｂ１）が感知した温度差が、あらかじめ設定された値を超えた異常値となった場合に、当該異常値となったセンサーロッド（１ｂ）の存在する異常被制御ロッド群（Ｘｔ）に対応するスイッチング素子（６４ｔ）に、通電オフの指令を出す指令手段（６３ｂ２）とを備えたことを特徴とする、請求項４に記載のパーマ装置。
【請求項６】
上記の内側用センサー（８）が、発熱部材（２）に直接接触して誤作動しないように、断熱材と絶縁材とを兼ねた物質で被覆されたことを特徴とする、請求項１から５のいずれかに記載のパーマ装置。
【発明の詳細な説明】
【技術分野】
【０００１】
本願発明は、美容室などで用いられるパーマ装置の改良、詳しくは、発熱部材を内蔵した電熱ロッドを頭髪に巻きつけることによって施術するパーマ装置の温度制御の改良に関するものである。
【背景技術】
【０００２】
【特許文献１】特開２００３−１０２５３４号公報
【０００３】
従来より、美容室などで用いられるパーマ装置において、電熱ロッドを用いるものがある。
この電熱ロッドは、電源接続時に発熱するヒーター等の発熱部材を内蔵するものであり、この電熱ロッドに、カール剤を塗布した状態の頭髪を巻き付けた後、電熱ロッドを発熱させることにより、頭髪にウェーブの形成などの変形処理を行うことができる。
この電熱ロッドには電気コードが接続され、箱状などの形態を有するパーマ装置本体に備えられた電源から電力が供給される。この一例が特許文献１に示されている。
【０００４】
発熱部材はオンオフ制御され、過熱により電熱ロッドに巻き付けられた頭髪を傷めないようになされている。このオンオフ制御は、従来、パーマ装置本体内にダミーの電熱ロッドが設けられ、そのダミーの電熱ロッドに通電することにより、この電熱ロッド外周面の温度をセンサーなどにより測定し、その温度を基準として、パーマ装置本体に接続され、頭髪を巻き付けた電熱ロッドを一括してオンオフ制御していた。
【発明の開示】
【発明が解決しようとする課題】
【０００５】
ところが、ダミーの電熱ロッドと実際に頭髪を巻き付けた電熱ロッドとは、放熱に関する環境などが異なるため、ダミーの電熱ロッドの温度が基準では精度の低い制御しかできなかった。また、頭髪を巻き付けた複数の電熱ロッドを全て画一的に制御するものであるため、特に小径の電熱ロッドと大径の電熱ロッドとを混在させて同時に使用する場合、この従来の画一的なオンオフ制御では、各電熱ロッドに径が異なることにより発生する温度差により、頭髪を均一に処理できなかった。
これら上記の問題点は、特許文献１に記載のパーマ装置においても有していた。
【０００６】
なお、本願出願人は、上記の問題を解決するために、実際に頭髪を巻き付けるための電熱ロッドの一部に、電熱ロッドの外周部の温度感知をするためのセンサーを設けたセンサーロッドを用いて、パーマ装置の制御を行うことを発案した。これは、従来のダミーの電熱ロッドを用いた制御と異なり、センサーロッドが現実に頭髪の巻き付けられたロッド外周部の温度を測定するため、精度の高い制御を行うことができ、電熱ロッドの過熱を防止できて、安全に使用することができるものである。
【０００７】
ここで、実際の施術においては、電熱ロッドの外周部に頭髪を巻き、カール剤やトリートメント剤やパーマ液などの液剤を塗布するが、施術途中でテストカールをする場合があり、適度なカールを得られない時や、また、液剤が乾燥するなどして不足した場合には、施術中に液剤を再塗布することがある。
しかし、このように液剤を再塗布すると、電熱ロッドの外周部は塗布された液剤により温度低下するが、これに対して電熱ロッドの内部に存在するヒーター等の発熱部材自体は温度が高いままのことがあり、外周部と内部に温度差が生じることがある。この状態では、センサーが感知した温度はすなわち、このように低下した状態にある外周部の温度となるため、これに応じて発熱部材が加熱されると、異常な過熱状態となってしまい、場合によっては発熱部材が焼損する可能性があり危険であった。
【０００８】
本願発明は、上記の問題点を解決するために発明されたものであり、頭髪を巻き付けた電熱ロッドを適切に温度制御できるパーマ装置を提供することを課題とする。
また、上記のように電熱ロッドの外周部と内部に温度差が生じることによる発熱部材の異常過熱が起こることのないパーマ装置を提供することを課題とする。
【課題を解決するための手段】
【０００９】
上記課題を解決するために、本願の請求項１に記載の発明は、電熱ロッド１に被施術者の頭髪を巻き付けて加熱することにより、頭髪にウェーブの形成などの変形処理を行うことのできるパーマ装置において、電熱ロッド１が、内部に水分の浸入を防止できる程度に密閉された中空の筒状部材１１と、筒状部材１１によって外部からの防水性を維持されると共に、外部から供給された電流によって発熱する発熱部材２と、筒状部材１１の内周面１２若しくは内周面１２より外側の温度を感知できる外側用センサー５と、筒状部材１１の内周面１２より内側１４の温度を感知できる内側用センサー８と、発熱部材２、外側用センサー５、内側用センサー８の各々に対して接続された接続プラグ３とを備えたものであることを特徴とするパーマ装置を提供する。
ここで、「筒状部材１１の内周面１２より内側」とは、内周面１２は含まない。また、上記の内側用センサー８は、本願においては、温度を感知するのみではなく、温度を感知した上で他の機器などを制御する機能を備えたものも含む。
【００１０】
また、本願の請求項２に記載の発明は、電熱ロッド１に被施術者の頭髪を巻き付けて加熱することにより、頭髪にウェーブの形成などの変形処理を行うことのできるパーマ装置において、電熱ロッド１が、内部に水分の浸入を防止できる程度に密閉された中空の筒状部材１１を有する、加熱専用ロッド１ａとセンサーロッド１ｂとからなるものであって、加熱専用ロッド１ａの内部には、ロッド外部から供給された電流によって、筒状部材１１を発熱させることのできる発熱部材２と、筒状部材１１の内周面１２より内側１４の温度を感知できる内側用センサー８とを備え、センサーロッド１ｂの内部には、筒状部材１１の内周面１２若しくは内周面１２より外側の温度を感知できる外側用センサー５と、上記加熱専用ロッド１ａと同様の発熱部材２と内側用センサー８とを備えたものであり、このパーマ装置は、電源入力部６１、電圧降下部６２、制御部６３、スイッチング素子６４を備えたものであり、電源入力部６１は、電熱ロッド１の発熱部材２に電流を供給するためのものであり、電圧降下部６２は、電源入力部６１から供給された電流を電熱ロッド１の発熱部材２へと供給可能なように、適切な電圧まで降圧させるためのものであり、制御部６３は、センサーロッド１ｂの外側用センサー５が発する温度信号を受け、スイッチング素子６４に対し、オンオフの指令を出すものであり、スイッチング素子６４は、電熱ロッド１の発熱部材２への電流をオンオフするものであり、１つのセンサーロッド１ｂに対して、複数の加熱専用ロッド１ａが組み合わされた被制御ロッド群Ｘごとに、上記の制御部６３による、各電熱ロッド１の発熱部材２のオンオフ制御がなされるものであって、上記の内側用センサー８が感知した温度が、あらかじめ設定された値を超えた場合に、発熱部材２への通電が制限されるものであることを特徴とするパーマ装置を提供する。
【００１１】
また、本願の請求項３に記載の発明は、上記の内側用センサー８が、電熱ロッド１の内部における発熱部材２へ通電するための回路４ａの途中に設けられたものであって、内側用センサー８が感知した温度が、あらかじめ設定された値を超えた場合に、上記の回路４ａが遮断されるものである、バイメタル式のサーモスタットが用いられたことを特徴とする、請求項１または２に記載のパーマ装置を提供する。
【００１２】
また、本願の請求項４に記載の発明は、電熱ロッド１に被施術者の頭髪を巻き付けて加熱することにより、頭髪にウェーブの形成などの変形処理を行うことのできるパーマ装置において、電熱ロッド１が、内部に水分の浸入を防止できる程度に密閉された中空の筒状部材１１を有する、加熱専用ロッド１ａとセンサーロッド１ｂとからなるものであって、加熱専用ロッド１ａの内部には、ロッド外部から供給された電流によって、筒状部材１１を発熱させることのできる発熱部材２を備え、センサーロッド１ｂの内部には、筒状部材１１の内周面１２若しくは内周面１２より外側の温度を感知できる外側用センサー５と、筒状部材１１の内周面１２より内側１４の温度を感知できる内側用センサー８と、上記加熱専用ロッド１ａと同様の発熱部材２とを備えたものであり、このパーマ装置は、電源入力部６１、電圧降下部６２、制御部６３、スイッチング素子６４を備えたものであり、電源入力部６１は、電熱ロッド１の発熱部材２に電流を供給するためのものであり、電圧降下部６２は、電源入力部６１から供給された電流を電熱ロッド１の発熱部材２へと供給可能なように、適切な電圧まで降圧させるためのものであり、制御部６３は、センサーロッド１ｂの外側用センサー５が発する温度信号を受け、スイッチング素子６４に対し、オンオフの指令を出すものであり、スイッチング素子６４は、電熱ロッド１の発熱部材２への電流をオンオフするものであり、１つのセンサーロッド１ｂに対して、複数の加熱専用ロッド１ａが組み合わされた被制御ロッド群Ｘごとに、上記の制御部６３による、各電熱ロッド１の発熱部材２のオンオフ制御がなされるものであって、上記の制御部６３が、外側用センサー５と内側用センサー８とが感知した温度差があらかじめ設定された値を超えた異常値となった場合に、当該異常値となったセンサーロッド１ｂの存在する異常被制御ロッド群Ｘｔにおける、各電熱ロッド１の発熱部材２への通電を制限するための異常過熱防止手段６３ｂを備えたことを特徴とするパーマ装置を提供する。
【００１３】
また、本願の請求項５に記載の発明は、上記の異常過熱防止手段６３ｂが、各センサーロッド１ｂの外側用センサー５が感知した温度と内側用センサー８が感知した温度との差を感知する温度差感知手段６３ｂ１と、上記の温度差感知手段６３ｂ１が感知した温度差が、あらかじめ設定された値を超えた異常値となった場合に、当該異常値となったセンサーロッド１ｂの存在する異常被制御ロッド群Ｘｔに対応するスイッチング素子６４ｔに、通電オフの指令を出す指令手段６３ｂ２とを備えたことを特徴とする、請求項４に記載のパーマ装置を提供する。
【００１４】
また、本願の請求項６に記載の発明は、上記の内側用センサー８が、発熱部材２に直接接触して誤作動しないように、断熱材と絶縁材とを兼ねた物質で被覆されたことを特徴とする、請求項１から５のいずれかに記載のパーマ装置を提供する。
ここで、上記の「被覆」とは、内側用センサー８と被覆する物質との間に空間を有した状態で覆われた場合も含む。
【発明の効果】
【００１５】
本願の請求項１に係る発明にあっては、電熱ロッド１に外側用センサー５と内側用センサー８とを設けたことにより、電熱ロッド１の適切な温度制御ができ、また、発熱部材２の焼損に至る異常過熱を防止でき、安全に使用することができるパーマ装置を提供できたものである。また、従来のダミーの電熱ロッドによる制御と異なり、センサーロッド１ｂが現実に頭髪の巻き付けられた筒状部材１１の温度を測定するため、精度の高い制御を行うことができるパーマ装置を提供できたものである。
【００１６】
本願の請求項２に係る発明にあっては、上記の効果に加え、複数の電熱ロッド１を被制御ロッド群Ｘに分け、その被制御ロッド群Ｘごとで温度調節が可能であるため、使い勝手が良く、従来のような画一的な制御と異なり、頭髪をきめ細かく変形処理できるものであって、また、内側用センサー８が感知した温度により、発熱部材２への通電が制限されるものであるため、施術中に、トリートメント剤などの液剤を電熱ロッド１に再塗布することで、筒状部材１１が温度低下し、筒状部材１１と筒状部材１１の内周面１２より内側１４とに温度差が生じた場合でも、発熱部材２の焼損には至らず、より安全に電熱ロッド１を使用できるパーマ装置を提供できたものである。
【００１７】
本願の請求項３に係る発明にあっては、上記請求項１または２に係る発明の効果に加え、内側用センサー８として構造が単純なバイメタル式のサーモスタットを用いたことにより、安価な電熱ロッド１を備えたパーマ装置を提供できたものである。
【００１８】
本願の請求項４及び５に係る発明にあっては、内側用センサー８はセンサーロッド１ｂにのみ設けられており、しかもその内側用センサー８は感知手段のみの働きをなすものとできるため、電熱ロッド１の構造を簡略化でき、故障を起こりにくくできるものであって、また、電熱ロッド１の異常過熱防止をパーマ装置本体６の側で一括して行うことができるパーマ装置を提供できたものである。
【００１９】
本願の請求項６に係る発明にあっては、上記各発明の効果に加え、内側用センサー８が断熱材と絶縁材とを兼ねた物質で被覆されたことにより、筒状部材１１の内周面１２より内側１４の温度を誤差なく確実に感知できるパーマ装置を提供できたものである。
【発明を実施するための最良の形態】
【００２０】
次に、図面に基づき本願発明の実施の一例をとりあげて説明する。図１及び図２は本例のパーマ装置の使用状態を示す説明図である。図３は実施例１に係るセンサーロッドの構造を示す図である。図４は実施例１に係るパーマ装置のロッドの温度制御機構を示す説明図である。図５は実施例２に係るセンサーロッドの構造を示す図である。図６は実施例２に係るパーマ装置のロッドの温度制御機構を示す説明図である。
【実施例１】
【００２１】
本例の実施例１に係るパーマ装置は、図２に示すような電熱ロッド１を備えたものである。この電熱ロッド１は、円筒状などの中空の筒状部材１１を有するものであり、被施術者の頭髪を外周面１３に巻き付けることのできるような形状を有するものとされている。
この筒状部材１１は、内部に水分の浸入を防止できる程度に密閉されたものであり、カール剤やトリートメント剤やパーマ液などの液剤を塗布した際にも液剤が内側（内側空間）１４に浸入しないものとされている。
【００２２】
この電熱ロッド１には、筒状部材１１によって外部からの防水性を維持されると共に、外部から供給された電流によって発熱する、フィルムヒーターなどの発熱部材２が設けられている。この発熱部材２は、電熱ロッド１の筒状部材１１に対して当接させても良いし、間隔を置いて配位しても良い。更には筒状部材１１と一体に形成しても良い。
施術時においては、図３（Ａ）（Ｂ）に示すように電熱ロッド１の端面に設けられた接続プラグ３を介して、電源から供給される電流により発熱部材２を発熱させることができ、この熱が筒状部材１１に伝達され、この筒状部材１１の外周面１３に巻き付けられた頭髪に作用してウェーブの形成などの変形処理を行うことができる。
【００２３】
本願発明に係る電熱ロッド１には、上記の発熱部材２とともに、筒状部材１１の温度を測定するための外側用センサー５が設けられたセンサーロッド１ｂと、発熱部材２のみが設けられた加熱専用ロッド１ａとがある。
センサーロッド１ｂに設けられた外側用センサー５は、筒状部材１１の内周面１２若しくは内周面１２より外側の温度を感知できるものであって、図３（Ａ）に示した例では、図３（Ａ）に示すように、センサーロッド１ｂにおける筒状部材１１の内周面１２に付着されたものであって、内周面１２の温度を感知することにより、間接的に外周面１３の温度を感知するものとされている。そして、この外側用センサー５が感知した温度は、温度信号として後述する制御部６３へ送られ、これにより電熱ロッド１（１ａ，１ｂ）を制御できる。
ここで、外側用センサー５が発熱部材２の温度を直接感知することのないように、外側用センサー５と発熱部材２との間には断熱材（図示しない）が配位されており、外側用センサー５と発熱部材２とが直接接触しないようになされている。
【００２４】
なお、この外側用センサー５については、図３（Ｂ）に示すように、センサーロッド１ｂの筒状部材１１を貫通させ、外周面１３に一部が露出したものとし、直接外周面１３の温度を測定するものとしても良い。ただし、この場合は、外側用センサー５が貫通した部分からセンサーロッド１ｂの内部空間１４にパーマ液などの液剤が浸入しないよう、水密に外側用センサー５を固定することが望ましい。 
【００２５】
電熱ロッド１の一方の端面には、電流の供給などのための接続プラグ３が設けられており、図２に示すように、電気コード７のロッド側プラグ７ｂに接続される。なお、この接続プラグ３は、加熱専用ロッド１ａについては、上記の発熱部材２へ電流を供給するための配線を接続可能なように、少なくとも２つの端子を有するものである。また、センサーロッド１ｂについては、上記の外側用センサー５及び発熱部材２を接続可能なように、少なくとも４つの端子を有するものである。そして、接続プラグ３と外側用センサー５との間は、発熱部材２へ通電するための回路としての発熱部材用ケーブル４ａで結ばれており、接続プラグ３と発熱部材２との間はセンサー用ケーブル４ｂで結ばれている（図４参照）。発熱部材２とセンサー用ケーブル４ｂとは図３（Ａ）（Ｂ）に示すように、接点２１において接続されている。
【００２６】
電熱ロッド１は、図１及び図２に示すように、電気コード７の本体側プラグ７ａを介してパーマ装置本体６のソケット６５に接続される。電気コード７の内部には、発熱部材用ケーブル７１とセンサー用ケーブル７２とが設けられており、発熱部材用ケーブル７１は加熱専用ロッド１ａとセンサーロッド１ｂの発熱部材用ケーブル４ａに接続され、センサー用ケーブル７２はセンサーロッド１ｂのセンサー用ケーブル４ｂに接続されることによって、各ロッド１ａ，１ｂとパーマ装置本体６とが電気的に接続される（図４参照）。なお、加熱専用ロッド１ａにのみ用いる電気コード７については、発熱部材用ケーブル７１のみを有し、センサー用ケーブル７２を省略したものとしても良い。
【００２７】
この実施例１では、各電熱ロッド１（１ａ，１ｂ）において、発熱部材２へ通電するための回路である発熱部材用ケーブル４ａの途中に内側用センサー８が設けられている。この内側用センサー８は、筒状部材１１の内周面１２より内側である内側空間１４の温度を感知できるものである。
内側用センサー８は機能上、感知手段と回路遮断手段とに分けられる。感知手段は、内側用センサー８の周囲、つまり電熱ロッド１の内側空間１４の温度を感知するものである。そして、回路遮断手段は、感知手段の感知した温度が、あらかじめ設定された値を超えた場合に、発熱部材２へ通電するための回路４ａを遮断したり、通電に係る電流を絞ることなどにより、発熱部材２への通電が制限されるスイッチとして動作するものである。
【００２８】
実施例１では内側用センサー８として、上記の感知手段と回路遮断手段とが一体とされた、バイメタル式のサーモスタットが用いられている。これは温度による膨張率の異なる二種の合金板を貼り合わせたものからなる変形体を有する公知のものであって、回路の接点間にこの変形体の少なくとも一端が移動可能に配位されており、周囲の温度がこの二種の合金の組み合わせや形状により決まる、あらかじめ設定された温度よりも高い場合には変形体が変形して回路を遮断し、温度が低下すると再び元の形状に戻って回路が接続されるものである。バイメタル式のサーモスタットは、構造が単純であるため、電熱ロッド１を安価に提供できるという利点を有する。
【００２９】
このように発熱部材用ケーブル４ａの途中に内側用センサー８が設けられたことにより、施術中に、カール剤やトリートメント剤やパーマ液などの液剤を電熱ロッド１に再塗布することで、筒状部材１１が温度低下し、筒状部材１１と内側空間１４に温度差が生じた場合にあって、外側用センサー５が感知した低下した温度に応じて発熱部材２が加熱されても、発熱部材２の焼損に至るまでには内側用センサー８が作動して通電が制限されるため、異常過熱を防止でき、安全に電熱ロッド１を使用できる。
【００３０】
また、実施例１の場合では、各電熱ロッド１毎に内側用センサー８が設けられているため、各電熱ロッド１毎に発熱部材２の異常過熱防止ができる。また、パーマ装置本体６の側には、異常過熱防止のために、特に対応する装置を設ける必要がないというメリットがある。
【００３１】
ここで、内側用センサー８は、図３（Ｃ）に示すように、発熱部材２に直接接触して誤作動しないように、断熱材と絶縁材とを兼ねたチューブ状体９で被覆されている。このチューブ状体９と内側用センサー８との間には空間９ａが存在し、上記の内側用センサー８の温度感知は、実際には、この空間９ａに存在する空気の温度を感知することによってなされる。これにより、電熱ロッド１の内側空間１４の温度を、発熱部材２の影響を受けることなく、誤差なく確実に感知することができる。
【００３２】
本例では、内側用センサー８として、上記の感知手段と回路遮断手段とが一体とされた、バイメタル式のサーモスタットが用いられたものとしたが、これに限られず、両者を別個の構成のものとしても良い。また、内側用センサー８としては、半導体式やバイメタル以外の機械式や化学反応を用いるものなど、種々のものが採用できる。
【００３３】
パーマ装置本体６には、電熱ロッド１に電力を供給するための電源に関する機器やその他のスイッチ類が設けられており、図１に示すような箱状のものや、被施術者が着席する椅子に内蔵したもの、壁や天井に取り付けたものなど、種々の形態での実施が可能である。
このパーマ装置本体６には、上記のセンサーロッド１ｂに設けられた外側用センサー５から送られる温度信号を受け、加熱専用ロッド１ａを含む電熱ロッド１の発熱部材２への電流の供給を制御するための温度制御機構が設けられている。
【００３４】
図４は、実施例１のパーマ装置の温度制御機構を示す説明図である。
パーマ装置本体６には、電源入力部６１、電圧降下部６２、制御部６３、スイッチング素子６４が設けられている。
電源入力部６１は、電熱ロッド１に電流を供給するためのものであって、通常の場合、パーマ装置本体６の外部から電流を取り入れるためのプラグや電源コードがこれに相当する。
電圧降下部６２は、電源入力部６１から供給された電流を電熱ロッド１の発熱部材２へと供給可能なように、つまり、発熱部材２の発熱のために適切な電圧まで降圧させるための変圧器である。
【００３５】
制御部６３のうちの通常制御手段６３ａと、スイッチング素子６４とは、各々が組み合わされて電熱ロッド１への電流のオンオフ制御を行うものである。
具体的には、スイッチング素子６４は、電熱ロッド１の発熱部材２への電流をオンオフするためのスイッチであって、後述する各被制御ロッド群Ｘ毎に一対一対応で設けられる。
制御部６３（通常制御手段６３ａ）は、電熱ロッド１のうち、センサーロッド１ｂに設けられた外側用センサー５が測定した温度信号を受けて、筒状部材１１の過熱状況を判断し、それに応じて、スイッチング素子６４に対しオンオフの指令を出すものであって、そのための演算処理を行うマイコンなどの処理手段が内蔵されている。制御部６３（通常制御手段６３ａ）は、後述する各被制御ロッド群Ｘにおけるセンサーロッド１ｂの外側用センサー５からそれぞれ送られる温度信号を受信し、その温度信号毎に応じ、上記のように各被制御ロッド群Ｘに対応して設けられたスイッチング素子６４の各々に対して指令する。
【００３６】
上記のように、電熱ロッド１には、加熱のみを行う加熱専用ロッド１ａと、外側用センサー５が内蔵されたセンサーロッド１ｂとが存在する。これらは、１つのセンサーロッド１ｂに対し、複数の加熱専用ロッド１ａを組み合わせて１組の被制御ロッド群Ｘを構成して使用する。すなわち、被制御ロッド群Ｘ中の電熱ロッド１に必ず１つ存在する外側用センサー５が測定する温度を、各被制御ロッド群Ｘの温度測定値（代表値）とし、この温度測定値（代表値）に応じて、各被制御ロッド群Ｘの加熱専用ロッド１ａとセンサーロッド１ｂとを一括して制御する。よって、被制御ロッド群Ｘのブロック分けを細かく行うほど、温度制御の精度を上げることができる。
【００３７】
次に、本例に係るパーマ装置の動作について、図４に基づき述べる。
電源入力部６１から供給される電流は、変圧器などの電圧降下部６２を経由して降圧され、その後、スイッチング素子６４（６４ａ，６４ｂ）、電気コード７（発熱部材用ケーブル７１）、接続プラグ３、発熱部材用ケーブル４ａを介して、電熱ロッド１の発熱部材２に供給される。これにより、筒状部材１１が加熱され、外周面１３に巻きつけられた頭髪にウェーブの形成などの変形処理がなされる。
【００３８】
そして、上記のように、発熱部材２から発生する熱により頭髪が変形処理されると同時に、電熱ロッド１のうちセンサーロッド１ｂの筒状部材１１の温度が、外側用センサー５によって感知され、この外側用センサー５の発する温度信号が、センサー用ケーブル４ｂ、接続プラグ３、電気コード７のセンサー用ケーブル７２を介して制御部６３（通常制御手段６３ａ）へと送られる。
【００３９】
制御部６３（通常制御手段６３ａ）では、この外側用センサー５から送られた温度信号により、筒状部材１１が過熱状態にあるかどうかを判断する。そして、筒状部材１１が過熱状態にある時はスイッチング素子６４（６４ａ，６４ｂ）に指令を送って発熱部材２への通電を遮断し、そうでない時はそのまま通電を継続する。このように、制御部６３（通常制御手段６３ａ）がスイッチング素子６４（６４ａ，６４ｂ）を操作して発熱部材２への通電のオンオフを行い、筒状部材１１が適切な温度となるように制御する。
【００４０】
なお、それぞれの発熱部材２の制御は、上記のようにして分けられた各被制御ロッド群Ｘ毎に一括して行われる。具体的に、第１被制御ロッド群Ｘａにおける各発熱部材２は、図４に示したように接続された第１スイッチング素子６４ａにより一括してオンオフが行われ、第２被制御ロッド群Ｘｂにおける各発熱部材２は、同じく第２スイッチング素子６４ｂにより一括してオンオフが行われる。つまり、各々のスイッチング素子６４（６４ａ，６４ｂ）には一対一で対応する各被制御ロッド群Ｘ（Ｘａ，Ｘｂ）が存在するものであって、制御部６３（通常制御手段６３ａ）からの指令を受けて各々のスイッチング素子６４（６４ａ，６４ｂ）が各被制御ロッド群Ｘ（Ｘａ，Ｘｂ）における筒状部材１１の温度を一括して制御する。
よって、被施術者の頭髪における、頭頂部と裾の部分とで被制御ロッド群Ｘを分けるなど、各被制御ロッド群Ｘの配置を適切に設定することにより、各被制御ロッド群Ｘ毎に電熱ロッド１の制御する温度を変えることができ、これにより、頭髪に所望の変形処理を行うことができる。
【００４１】
そして上記のように、発熱部材用ケーブル４ａの途中には内側用センサー８が設けられているため、施術中に、カール剤やトリートメント剤やパーマ液などの液剤を電熱ロッド１に再塗布することで、筒状部材１１が温度低下し、筒状部材１１と内側空間１４に温度差が生じた場合にあって、外側用センサー５が感知した低下した温度に応じて発熱部材２が加熱されても、発熱部材２の焼損に至るまでには内側用センサー８が作動して通電が制限され、発熱部材２の加熱が抑制されるため、安全に電熱ロッド１を使用できる。
【実施例２】
【００４２】
次に、発熱部材２の異常過熱防止を上記のように電熱ロッド１毎に行わずに、被制御ロッド群Ｘ毎に制御部６３で一括して行う例を示す。なお、この実施例２として特記した構成以外は、上記実施例１と同様である。
この実施例２の場合において、内側用センサー８は図５に示すように、センサーロッド１ｂの内側空間１４に配位されたものであって、周囲の温度を感知することにより、内側空間１４の温度を感知するものである。つまり、上記実施例１における感知手段のみの働きをなすものとされている。そして、この内側用センサー８が感知した温度は、内部温度信号として制御部６３へ送られ、これにより電熱ロッド１（１ａ，１ｂ）を制御する。
【００４３】
実施例２の場合、制御部６３には、図６に示すように、上記の通常制御手段６３ａとは別に、発熱部材２の異常過熱防止の制御を行うための異常過熱防止手段６３ｂが設けられる。この異常過熱防止手段６３ｂは、温度差感知手段６３ｂ１と指令手段６３ｂ２とを備えたものである。
温度差感知手段６３ｂ１は、センサーロッド１ｂに存在する外側用センサー５が感知した温度と内側用センサー８とが感知した温度の差を感知するものである。指令手段６３ｂ２は、上記の温度差感知手段６３ｂ１が感知した上記の温度差が、指令手段６３ｂ２においてあらかじめ設定された値を超えた異常値となった場合に、当該異常値となったセンサーロッド１ｂの存在する異常被制御ロッド群Ｘｔに対応するスイッチング素子６４ｔに、通電オフの指令を出すものであって、そのための演算処理を行うマイコンなどの処理手段が内蔵されている。この例では、指令手段６３ｂ２はスイッチング素子６４ｔに通電オフの指令を出すが、これに限られず、通電に係る電流を絞るなど、発熱部材２への通電を制限するための種々の指令を出すものとして良い。
【００４４】
このように、センサーロッド１ｂに内側用センサー８が設けられ、制御部６３に異常過熱防止手段６３ｂが設けられたことにより、施術中に、カール剤やトリートメント剤やパーマ液などの液剤を電熱ロッド１に再塗布することで、筒状部材１１が温度低下し、筒状部材１１と内側空間１４に温度差が生じた場合にあって、外側用センサー５が感知した低下した温度に応じて発熱部材２が加熱されても、発熱部材２の焼損に至るまでにはスイッチング素子６４（６４ｔ）が発熱部材２への通電を遮断するため、安全に電熱ロッド１を使用できる。
【００４５】
実施例２の場合、内側用センサー８はセンサーロッド１ｂにのみ設けられており、しかもその内側用センサー８は感知手段のみの働きをなすものとできるため、電熱ロッド１の構造を簡略化でき、故障を起こりにくくできる。また、制御部６３に異常過熱防止手段６３ｂと指令手段６３ｂ２とを付加するだけで異常過熱防止のための機構を構築でき、電熱ロッド１の異常過熱防止をパーマ装置本体６の側で一括して行うことができるというメリットがある。
【図面の簡単な説明】
【００４６】
【図１】本例のパーマ装置の使用状態を示す説明図である。
【図２】本例のパーマ装置において、本体と電熱ロッドとの接続を示す説明図である。
【図３】（Ａ）、（Ｂ）は、実施例１に係るセンサーロッドの断面視説明図である。（Ｃ）は内側用センサーが被覆された状態を示す説明図である。
【図４】実施例１に係るパーマ装置のロッドの温度制御機構を示す説明図である。
【図５】（Ａ）（Ｂ）とも、実施例２に係るセンサーロッドの断面視説明図である。
【図６】実施例２に係るパーマ装置のロッドの温度制御機構を示す説明図である。
【符号の説明】
【００４７】
１        電熱ロッド
１ａ      加熱専用ロッド
１ｂ      センサーロッド
１１      筒状部材
１２      筒状部材の内周面
１４      筒状部材の内周面より内側、内側空間
２        発熱部材
３        接続プラグ
４ａ      発熱部材への通電回路、発熱部材用ケーブル
４ｂ      センサー用ケーブル
５        外側用センサー
６１      電源入力部
６２      電圧降下部
６３      制御部
６３ｂ    過熱防止手段
６３ｂ１  温度差感知手段
６３ｂ２  指令手段
６４      スイッチング素子
６４ｔ    異常被制御ロッド群に対応するスイッチング素子
８        内側用センサー
Ｘ        被制御ロッド群
Ｘｔ      異常被制御ロッド群
【図１】
2005279243.tif 000003
【図２】
2005279243.tif 000004
【図３】
2005279243.tif 000005
【図４】
2005279243.tif 000006
【図５】
2005279243.tif 000007
【図６】
2005279243.tif 000008